(57)【要約】【課題】  筆記具を衣服のポケット等に繰り返し挿着脱しても、クリップにおける取付用脚の外壁面が、損傷してメッキ等が剥離する虞がないようにする。【解決手段】  筆記具１のキャップ２または軸本体に設けたクリップ取付用開口５内に、クリップ６の左右に設けた１対の取付用脚９を嵌挿して、クリップ６を、キャップ２または軸本体に取付けるようにした筆記具１において、クリップ取付用開口５の上下縁５ａに、互いに対向する１対の舌状突片７を設け、これら舌状突片７を前記１対の取付用脚９間内に位置させて、取付用脚９をクリップ取付用開口５内に嵌挿し、クリップ６の左右方向の振れを、１対の取付用脚９の内壁面に、舌状突片７の左右縁端を当接させることによって防止するとともに、クリップ取付用開口５の左右縁５ａにおける、クリップ６の遊端側の端部と、取付用脚９との間に隙間Ｌ１を設ける。【選択図】        図２
2005271245.tif 000002
【特許請求の範囲】
【請求項１】
筆記具のキャップまたは軸本体に設けたクリップ取付用開口内に、クリップの左右に設けられた１対の取付用脚を嵌挿して、クリップを、キャップまたは軸本体に取付けるようにした筆記具において、
クリップ取付用開口の上下縁に、互いに対向する１対の突片を設け、これら突片を前記１対の取付用脚間内に位置させて、取付用脚をクリップ取付用開口内に嵌挿し、クリップの左右方向の振れを、１対の取付用脚の内壁面に、突片の左右縁端を当接させることによって防止するとともに、クリップ取付用開口の左右縁における、クリップの遊端側の端部と、取付用脚との間に隙間を設けたことを特徴とする筆記具におけるクリップの取付構造。
【請求項２】
前記クリップ取付用開口における左右縁を、その両者間の幅が、クリップの遊端向きに漸次拡大するように形成したことを特徴とする請求項１記載の筆記具におけるクリップの取付構造。
【請求項３】
前記クリップ取付用開口内に嵌挿させた取付用脚と、キャップまたは軸本体の内周壁との間に、板ばねを介在させて、この板ばねのばね作用により、クリップの遊端を、キャップまたは軸本体の外周壁面に向けて付勢させたことを特徴とする請求項１または２記載の筆記具におけるクリップの取付構造。
【請求項４】
前記クリップ取付用開口内に嵌挿させた取付用脚に、クリップの遊端向きに開口するＵ字状の板ばねの一端を係止させ、他端をキャップまたは軸本体の内周壁に係止させたことを特徴とする請求項３記載の筆記具におけるクリップの取付構造。
【請求項５】
クリップの左右に設けた前記１対の取付用脚の遊端を、相互に内方に向けて折り曲げて連結して形成した連結部に、Ｕ字状の板ばねの一端を係止させたことを特徴とする請求項４記載の筆記具におけるクリップの取付構造。
【請求項６】
クリップの左右に設けた前記１対の取付用脚の遊端に、それぞれ係止部を設け、Ｕ字状の板ばねの一端における左右に、外側に向けて係止突起を突設し、この係止突起を前記１対の取付用脚の係止部に、それぞれ係止させたことを特徴とする請求項４記載の筆記具におけるクリップの取付構造。
【発明の詳細な説明】
【技術分野】
【０００１】
本発明は、万年筆、ボールペン、シャープペン等の筆記具におけるクリップの取付構造に関する。
【背景技術】
【０００２】
筆記具には、衣服のポケット等に装着して携帯しうるように、クリップが取付けられているものが多い。
【０００３】
筆記具にクリップを取付けるための構造としては、筆記具のキャップまたは軸本体にクリップ取付用開口を設け、この開口内にクリップの左右に設けた１対の取付用脚を嵌挿し、キャップまたは軸本体の内部において固定したものが多い（たとえば、特許文献１）。
【０００４】
図５〜図７は、前記特許文献１に記載されるクリップの取付構造を示し、図５は、要部分解斜視図、図６は、キャップの要部正面図、図７は、クリップをキャップに取付けた状態の図６のVII〜VII線における断面図である。
【０００５】
筆記具(01)におけるキャップ(02)の上端(03)近傍の周壁(04)上に、クリップ取付用開口(05)が設けられている。このクリップ取付用開口(05)は、図６に示すように、正面視において長方形状をなしている。
【０００６】
クリップ(06)の上端側方における左右には、クリップ(06)をキャップ(02)に取付けるための１対の取付用脚(07)(07)が設けられている。前記１対の取付用脚(07)(07)の遊端は、相互に内方に向けて折り曲げられて重ね合わせられ、連結部(07a)が形成されている。
【０００７】
前記１対の取付用脚(07)(07)を、クリップ取付用開口(05)内に嵌挿し、クリップ(06)の遊端向きに開口するＵ字状の板ばね(08)を、その一端を、取付用脚(07)(07)における前記連結部(07a)の内壁面(07b)に、他端をキャップ(02)の内周壁面(09)に、それぞれ当接させて、両者間に介在させることにより、この板ばね(08)の作用により、クリップ(06)の遊端を、キャップ(02)の外周壁面(010)に向けて付勢させるようにして、クリップ(06)がキャップ(02)に取付けられている。
【０００８】
しかし、このようなクリップ(06)の取付構造の場合、次のような問題がある。すなわち、クリップ(06)の左右方向への振れを、クリップ(06)における左右１対の取付用脚(07)(07)の外壁面(011)(011)を、クリップ取付用開口(05)の左右縁(05a)(05a)に当接させることによって防止しているため、筆記具(01)を、衣服のポケット等に挿着脱を繰り返し、クリップ(06)の遊端を動かす度毎に、クリップ(06)の取付用脚(07)(07)の外壁面(011)(011)が、クリップ取付用開口(05)の左右縁(05a)(05a)に当接して擦れるため、前記外壁面(011)(011)が損傷し、メッキが剥離するなどして外観が悪くなるという問題がある。
【特許文献１】実用新案出願公告  昭和３８年−１２８２２号公報（第１図、第４図、第６図参照）
【発明の開示】
【発明が解決しようとする課題】
【０００９】
本発明は、前記の現状に鑑み、筆記具を衣服のポケット等に繰り返し挿着脱しても、クリップにおける取付用脚の外壁面が、損傷し、メッキが剥離するなどの虞がないクリップの取付構造を提供することを目的とする。
【課題を解決するための手段】
【００１０】
本発明によると、上記課題は、次のようにして解決される。
(１) 筆記具のキャップまたは軸本体に設けたクリップ取付用開口内に、クリップの左右に設けた１対の取付用脚を嵌挿して、クリップを、キャップまたは軸本体に取付けるようにした筆記具において、クリップ取付用開口の上下縁に、互いに対向する１対の突片を設け、これら突片を前記１対の取付用脚間内に位置させて、取付用脚をクリップ取付用開口内に嵌挿し、クリップの左右方向の振れを、１対の取付用脚の内壁面に、突片の左右縁端を当接させることによって防止するとともに、クリップ取付用開口の左右縁における、クリップの遊端側の端部と、取付用脚との間に隙間を設ける。
【００１１】
(２)  上記(１)項において、前記クリップ取付用開口における左右縁を、その両者間の幅が、クリップの遊端向きに漸次拡大するように形成する。
【００１２】
(３)  上記(１)項または(２)項において、前記クリップ取付用開口内に嵌挿させた取付用脚と、キャップまたは軸本体の内周壁との間に、板ばねを介在させて、この板ばねのばね作用により、クリップの遊端を、キャップまたは軸本体の外周壁面に向けて付勢させる。
【００１３】
(４)  上記(３)項において、前記クリップ取付用開口内に嵌挿させた取付用脚に、クリップの遊端向きに開口するＵ字状の板ばねの一端を係止させ、他端をキャップまたは軸本体の内周壁に係止させる。
【００１４】
(５)  上記(４)項において、クリップの左右に設けた前記１対の取付用脚の遊端を、相互に内方に向けて折り曲げて連結して形成した連結部に、Ｕ字状の板ばねの一端を係止させる。
【００１５】
(６)  上記(４)項において、クリップの左右に設けた前記１対の取付用脚の遊端に、それぞれ係止部を設け、Ｕ字状の板ばねの一端における左右に、外側に向けて係止突起を突設し、この係止突起を前記１対の取付用脚の係止部に、それぞれ係止させる。
【発明の効果】
【００１６】
本発明によると、次のような効果が奏せられる。
ａ)  前記(１)項記載の発明によれば、クリップの左右方向の振れが、１対の取付用脚の内壁面に、突片の左右縁端を当接させることによって防止されているとともに、クリップ取付用開口の左右縁における、クリップの遊端側の端部と、取付用脚との間に隙間が設けられているため、筆記具を衣服のポケット等に繰り返し挿着脱しても、クリップにおける取付用脚の外壁面が、クリップ取付用開口における左右縁によって擦られて損傷し、メッキが剥離するなどの虞がない。そのため長期に亘って、クリップにおける取付用脚の外観を良好に保持することができる。
【００１７】
ｂ)  前記(２)項記載の発明によれば、筆記具を衣服のポケット等に挿着脱する際に、クリップ取付用開口の左右縁に当接して擦られる度合の最も大きい、取付用脚における、クリップの遊端側の端部と、クリップ取付用開口の左右縁との間に、容易に隙間を設けることができる。
【００１８】
ｃ)  前記(３)項記載の発明によれば、比較的簡単な構造をもって、クリップの遊端を、キャップまたは軸本体の外周壁面に向けて、板ばねの作用による大きな力で付勢させることができる。そのため、筆記具を衣服のポケット等に装着して携帯した際に、筆記具がポケット等から離脱して紛失する虞を少なくすることができる。
【００１９】
ｄ)  前記(４)項記載の発明によれば、板ばねを、取付用脚と、キャップまたは軸本体の内周壁との間に、容易に介在させることができる。
【００２０】
ｅ)  前記(５)項記載の発明によれば、板ばねの一端を、取付用脚に容易に係止させることができる。
【００２１】
ｆ)  前記(６)項記載の発明によれば、板ばねの一端を、取付用脚に容易に、かつ位置保持性が良好な状態で係止させることができる。
【発明を実施するための最良の形態】
【００２２】
以下、本発明の実施形態を、図面に基づいて説明する。
【実施例１】
【００２３】
図１および図２は、本発明のクリップの取付構造を備える筆記具の第１実施形態を示し、図１は、要部分解斜視図、図２は、キャップの要部正面図である。
【００２４】
筆記具(１)におけるキャップ(２)の上端(３)近傍の周壁(４)上に、クリップ取付用開口(５)が設けられている。
【００２５】
このクリップ取付用開口(５)は、図２に示すように、正面視において、長方形状のクリップ取付用開口(５)の左右縁(5a)(5a)が、その両者間の幅がクリップ(６)の遊端向きに漸次拡大するように形成されているとともに、クリップ取付用開口(５)の上下縁(5b)(5b)に、互いに対向する１対の突片としてほぼ半円形の舌状突片(７)(７)を備えた形状をなしている。クリップ(６)の上端(８)近傍の側方左右には、１対の取付用脚(９)(９)が設けられ、その遊端は、相互に内方に向けて折り曲げられて重ね合わせられ、連結部(10)が形成されている。
【００２６】
前記取付用脚(９)は、前記舌状突片(７)(７)を、１対の取付用脚(９)(９)間内に位置させた状態で、クリップ取付用開口(５)内に嵌挿されている。そのため舌状突片(７)(７)の左右縁端(7a)(7a)が、１対の取付用脚(９)(９)の内壁面(9a)(9a)に当接し、クリップ(６)の左右方向の振れが防止されるようになっている。
【００２７】
前記のように、クリップ取付用開口(５)における左右縁(5a)(5a)の両者間の幅が、クリップ(６)の遊端向きに漸次拡大するように形成されているため、前記左右縁(5a)(5a)における、クリップ(６)の遊端側の端部(5c)(5c)と、取付用脚(９)(９)との間には、隙間Ｌ１が生ずるようになっている。
【００２８】
この隙間Ｌ１を生じさせることによって、筆記具(１)を衣服のポケット等に繰り返し挿着脱しても、クリップ(６)における取付用脚(９)(９)の外壁面(9b)(9b)が、クリップ取付用開口(５)における左右縁(5a)(5a)によって擦られて損傷し、メッキが剥離するなどの虞がない。
【００２９】
また、前記左右縁(5a)(5a)における、クリップ(６)の遊端と反対側の端部(5d)(5d)と、取付用脚(９)(９)との間にも、隙間Ｌ２が生ずるようになっており、取付用脚(９)(９)の外壁面(9b)(9b)全体について、クリップ取付用開口(５)における左右縁(5a)(5a)との当接による摩擦によって損傷することがないようになっている。
【００３０】
クリップ取付用開口(５)内に嵌挿された取付用脚(９)(９)と、キャップ(２)の内周壁(4a)との間には、板ばね(11)を介在してある。
【００３１】
板ばね(11)は、クリップ(６)の遊端向きに開口するＵ字状をなし、その一端(11a)は、取付用脚(９)(９)における連結部(10)に係止され、他端(11b)は、キャップ(２)の内周壁(4a)に係止されている。
【００３２】
この板ばね(11)のばね作用により、クリップ(６)の遊端が、キャップ(２)の外周壁面(4b)に向けて付勢されるようになっている。
【実施例２】
【００３３】
図３および図４は、本発明のクリップの取付構造を備える筆記具の第２実施形態を示し、図３は、要部分解斜視図、図４は、キャップの要部正面図である。
【００３４】
筆記具(12)におけるキャップ(13)の上端(14)近傍の周壁(15)上に、第１実施形態の場合と同じようなクリップ取付用開口(16)が設けられている。
【００３５】
クリップ(17)の上端(18)近傍の側方左右には、１対の取付用脚(19)(19)が設けられ、そのそれぞれの遊端の一端には、Ｌ字状の係止部(20)(20)が設けられている。
【００３６】
この取付用脚(19)(19)は、第１実施形態の場合と同様に、クリップ取付用開口(16)における上下縁(16a)(16a)に互いに対向して設けられた１対の舌状突片(21)(21)を、１対の取付用脚(19)(19)間内に位置させた状態で、クリップ取付用開口(16)内に嵌挿されている。
【００３７】
クリップ取付用開口(16)内に嵌挿された取付用脚(19)(19)と、キャップ(13)の内周壁(15a)との間には、板ばね(22)を介在してある。板ばね(22)は、クリップ(17)の遊端向きに開口するＵ字状をなし、その一端(22a)における左右には、外側に向けて係止突起(23)(23)が突設されており、この係止突起(23)(23)は、１対の取付用脚(19)(19)における前記係止部(20)(20)にそれぞれ係止され、板ばね(22)の他端(22b)は、キャップ(13)の内周壁(15a)に係止されている。
【００３８】
この板ばね(22)のばね作用により、クリップ(17)の遊端が、キャップ(13)の外周壁面(15b)に向けて付勢されるようになっている。
【００３９】
第１実施形態における隙間Ｌ１，Ｌ２に対応して、第２実施形態においても、隙間Ｌ３，Ｌ４が生じるようになっており、クリップ(17)における取付用脚(19)(19)の外壁面(19a)(19a)全体について、クリップ取付用開口(16)における左右縁(16b)(16b)との当接による摩擦によって損傷されることがないようになっている。
【００４０】
なお、第１実施形態および第２実施形態においては、取付用脚(９)(19)が、キャップ(２)(13)に設けられている例を示したが、キャップ(２)(13)に代えて、筆記具(１)(12)における軸本体（図示を省略）に設けられていてもよい。
【図面の簡単な説明】
【００４１】
【図１】本発明のクリップの取付構造を備える筆記具の第１実施形態を示す要部分解斜視図である。
【図２】同じく、要部正面図である。
【図３】本発明のクリップの取付構造を備える筆記具の第２実施形態を示す要部分解斜視図である。
【図４】同じく、要部正面図である。
【図５】特許文献１に記載されるクリップの取付構造を示す要部分解斜視図である。
【図６】同じく、キャップの要部正面図である。
【図７】同じく、図６のVII〜VII線における断面図である。
【符号の説明】
【００４２】
(１)筆記具
(２)キャップ
(３)上端
(４)周壁
(4a)内周壁
(4b)外周壁面
(５)クリップ取付用開口
(5a)左右縁
(5b)上下縁
(5c)(5d)端部
(６)クリップ
(７)舌状突片
(7a)左右縁端
(８)上端
(９)取付用脚
(9a)内壁面
(9b)外壁面
(10)連結部
(11)板ばね
(11a)一端
(11b)他端
(12)筆記具
(13)キャップ
(14)上端
(15)周壁
(15a)内周壁
(15b)外周壁面
(16)クリップ取付用開口
(16a)上下縁
(17)クリップ
(18)上端
(19)取付用脚
(19a)外壁面
(19b)左右縁
(20)係止部
(21)舌状突片
(22)板ばね
(22a)一端
(22b)他端
(23)係止突起
(01)筆記具
(02)キャップ
(03)上端
(04)周壁
(05)クリップ取付用開口
(05a)左右縁
(06)クリップ
(07)取付用脚
(07a)連結部
(07b)内壁面
(08)板ばね
(09)内周壁面
(010)外周壁面
(011)外壁面
【図１】
2005271245.tif 000003
【図２】
2005271245.tif 000004
【図３】
2005271245.tif 000005
【図４】
2005271245.tif 000006
【図５】
2005271245.tif 000007
【図６】
2005271245.tif 000008
【図７】
2005271245.tif 000009